【事件の表示】
　特願２０１５−５４１７９４号「拡張現実デバイスの電力性能を高めるための仮想オブジェクトディスプレイ特性の変更」拒絶査定不服審判事件〔平成２６年５月２２日国際公開、ＷＯ２０１４／０７８０３７、平成２８年２月１２日国内公表、特表２０１６−５０４６１５号、請求項の数（１５）〕について、次のとおり審決する。
【結　論】
　原査定を取り消す。
　本願の発明は、特許すべきものとする。
【理　由】
第１　手続の経緯  
　本願は、平成２５年１０月２３日（優先権主張　平成２４年１１月１３日及び平成２５年２月１日　米国）を国際出願日とする外国語特許出願であって、平成２７年５月２６日に特許協力条約第３４条に基づく補正に係る補正書の日本語による翻訳文が提出され、同年７月２８日に手続補正書が提出され、平成２８年１０月６日に手続補正書が提出されたものであり、平成２９年７月１９日付けの拒絶理由通知に対し、同年１０月２３日に意見書及び手続補正書が提出されたところ、平成３０年３月２６日付けで拒絶査定（以下、「原査定」という。）がなされ（原査定の謄本の送達日：同年４月２日）、これに対して、同年８月２日に拒絶査定不服審判の請求がなされると同時に手続補正がなされたが、当審において、平成３１年４月２６日付けで拒絶の理由（以下、「当審拒絶理由」という。）が通知され、これに対し、令和１年８月１日に意見書及び手続補正書が提出されたものである。
第２　本願発明 
　本願請求項１〜１５に係る発明（以下、それぞれ「本願発明１」〜「本願発明１５」という。）は、令和１年８月１日に提出された手続補正書により補正された特許請求の範囲の請求項１〜１５に記載された事項により特定される、以下のとおりのものである。
「【請求項１】
　拡張現実ディスプレイを制御するための方法であって、
　現実世界の場面に重ね合わされた仮想オブジェクトを含む仮想の視界をヘッドマウントディスプレイにより提示するステップと、
　第2の色を使用して前記仮想オブジェクトの表示を変更するステップであって、前記第2の色が、前記現実世界の場面における現実世界のオブジェクトの第1の色と少なくとも既定の量の色コントラストを有し、前記第2の色が、前記第1の色に基づいて選択され、前記仮想の視界における前記仮想オブジェクトが、前記現実世界のオブジェクトの上に重ね合わされる、ステップと、
　前記第1の色と前記第2の色との間のコントラストの量に基づいて、前記仮想オブジェクトを表示するための前記ヘッドマウントディスプレイのルーメン出力を低下させるステップと
　を含む、拡張現実ディスプレイを制御するための方法。
【請求項２】
　前記第2の色が、前記現実世界のオブジェクトの前記第1の色に対して少なくとも既定の量の色コントラストを有する、請求項1に記載の拡張現実ディスプレイを制御するための方法。
【請求項３】
　前記表示を変更するステップが、前記既定の量の色コントラストを、Lab色空間における前記第1の色と前記第2の色との間の最小距離に基づいて決定するステップを含む、請求項2に記載の拡張現実ディスプレイを制御するための方法。
【請求項４】
　前記表示を変更するステップが、前記拡張現実ディスプレイに接続されたバッテリーの充電レベルが既定のしきい値を下回る場合、前記仮想オブジェクトの前記表示を変更するステップを含む、請求項2に記載の拡張現実ディスプレイを制御するための方法。
【請求項５】
　前記ルーメン出力を低下させるステップが、前記ヘッドマウントディスプレイの電力消費を、前記仮想オブジェクトを表示するための前記ヘッドマウントディスプレイの前記ルーメン出力を低下させることによって低下させるステップを含む、請求項4に記載の拡張現実ディスプレイを制御するための方法。
【請求項６】
　前記表示を変更するステップが、前記仮想オブジェクトを前記ヘッドマウントディスプレイの前記仮想の視界内の第1のロケーションから第2のロケーションに移動させることによって、前記仮想オブジェクトの前記表示を変更するステップを含む、請求項1に記載の拡張現実ディスプレイを制御するための方法。
【請求項７】
　前記表示を変更するステップが、前記仮想オブジェクトを前記ヘッドマウントディスプレイの前記仮想の視界内の前記第1のロケーションから前記第2のロケーションに移動させる前に、既定の期間待機するステップをさらに含む、請求項6に記載の拡張現実ディスプレイを制御するための方法。
【請求項８】
　前記ルーメン出力を低下させるステップが、
　　ユーザの眼の焦点を監視するステップと、
　　前記ユーザが前記仮想オブジェクトが提示される仮想の平面に焦点を合わせていない場合、前記仮想オブジェクトの輝度レベルを低下させるステップと
　を含む、請求項1に記載の拡張現実ディスプレイを制御するための方法。
【請求項９】
　拡張現実ディスプレイを制御するための装置であって、
　現実世界の場面に重ね合わされた仮想オブジェクトを含む仮想の視界を提示するための手段と、
　前記現実世界の場面における現実世界のオブジェクトの第1の色と少なくとも既定の量の色コントラストを有し、かつ前記第1の色に基づいて選択される、第2の色を使用して、
前記仮想オブジェクトの表示を変更するための手段であって、前記仮想の視界における前記仮想オブジェクトが、前記現実世界のオブジェクトの上に重ね合わされる、手段と、
　前記第1の色と前記第2の色との間のコントラストの量に基づいて、前記仮想オブジェクトを表示するためのヘッドマウントディスプレイのルーメン出力を低下させるための手段と
　を備える、拡張現実ディスプレイを制御するための装置。
【請求項１０】
　前記第2の色が、前記現実世界のオブジェクトの前記第1の色に対して少なくとも既定の量の色コントラストを有する、請求項9に記載の拡張現実ディスプレイを制御するための装置。
【請求項１１】
　前記表示を変更するための手段が、Lab色空間における前記第1の色と前記第2の色との間の最小距離に基づいて、前記既定の量の色コントラストを決定するための手段を備える、請求項10に記載の拡張現実ディスプレイを制御するための装置。
【請求項１２】
　前記表示を変更するための手段が、前記拡張現実ディスプレイと結合されたバッテリーの充電レベルが既定のしきい値を下回る場合、前記仮想オブジェクトの前記表示を変更するための手段を備える、請求項10に記載の拡張現実ディスプレイを制御するための装置。
【請求項１３】
　前記ルーメン出力を低下させるための手段が、前記仮想オブジェクトを表示するための前記ヘッドマウントディスプレイの前記ルーメン出力を低下させることによって、前記ヘッドマウントディスプレイの電力消費を低下させるための手段を備える、請求項12に記載の拡張現実ディスプレイを制御するための装置。
【請求項１４】
　前記表示を変更するための手段が、前記仮想オブジェクトを前記ヘッドマウントディスプレイの前記仮想の視界内の第1のロケーションから第2のロケーションに移動させることによって、前記仮想オブジェクトの前記表示を変更するための手段を備える、請求項9に記載の拡張現実ディスプレイを制御するための装置。
【請求項１５】
　拡張現実ディスプレイを制御するためのコンピュータプログラムであって、プロセッサに、請求項1〜8のいずれか一項に記載の方法を行わせるように構成されたプロセッサ可読命令を含む、拡張現実ディスプレイを制御するためのコンピュータプログラム。」 
第３　原査定について
１　原査定の概要
　原査定の拒絶の理由の概要は、次のとおりである。
理由１（新規性）
　本願発明１〜２、４〜５、９〜１０、１２〜１３、１５は、本願の優先権主張の日（以下、「優先日」という。）前に日本国内又は外国において頒布された下記の引用文献１に記載された発明であるから、特許法第２９条第１項第３号に該当し、特許を受けることができない。
理由２（進歩性）
　本願発明１〜２、４〜５、９〜１０、１２〜１３、１５は、その優先日前に日本国内又は外国において頒布された下記の引用文献１に記載された発明に基いて、その優先日前にその発明の属する技術の分野における通常の知識を有する者（以下、「当業者」という。）が容易に発明をすることができたものであるから、特許法第２９条第２項の規定により特許を受けることができない。
　本願発明６〜７、１４は、その優先日前に日本国内又は外国において、頒布された又は電気通信回線を通じて公衆に利用可能となった下記の引用文献１、２及び５に記載された発明に基いて、その優先日前に当業者が容易に発明をすることができたものであるから、特許法第２９条第２項の規定により特許を受けることができない。
　　　　　　　　　　　　　　　　記
引用文献１：特開２００９−１９２５８３号公報
引用文献２：国際公開第２０１２／０１９９３７号（周知技術を示す文献）
引用文献５：特開２００２−１６３６７０号公報（周知技術を示す文献）
２　原査定の拒絶の理由についての当審の判断 
（１）引用文献、引用発明等
　原査定において引用された上記引用文献１には、図面とともに次の事項が記載されている（下線は当審で付した。）。  
  
ア　「【００１６】
　以下図面に基づいて、本発明に係る
頭部装着式映像表示装置（以下、ＨＭＤとも称する。）
【００１７】
（省略）
【００１８】
　
ＨＭＤ１は、
表示ユニット２５（ＬＣＤ表示部２６、接眼光学系２７）、カメラユニット２８、
及び制御ユニット３１等を有している
【００１９】〜【００２２】
（省略）
【００２３】
　
表示ユニット２５は、ＬＣＤ表示部２６、及び接眼光学系２７等を有し、カメラユニット２８で撮影された画像や、制御ユニット３１に設けられた後述の通信部３６を介して、遠隔地に設けられた例えば図示しないホストコンピュータから提供された映像等を表示する。また、表示ユニット２５は、接眼光学系２７を通して外界（前方の被写体）をシースルー可能に構成されている
　イ　「【００２９】
　図２に示すように、表示ユニット２５は、
筐体２６１、バックライト２６２、コリメータレンズ２６３、ＬＣＤ（Ｌｉｑｕｉｄ  Ｃｒｙｓｔａｌ  Ｄｉｓｐｌａｙ）２６４からなるＬＣＤ表示部２６
【００３０】
（省略）
【００３１】
　
バックライト２６２は、発光色がそれぞれ赤（Ｒ）、緑（Ｇ）、青（Ｂ）の発光ダイオードであるＲＬＥＤ２６２Ｒ、ＧＬＥＤ２６２Ｇ、ＢＬＥＤ２６２Ｂを有し、ＬＣＤ２６４を照明する光源である
【００３２】〜【００３６】
（省略）
【００３７】
　以上のような構成を有する表示ユニット２５において、バックライト２６２のＲＬＥＤ２６２Ｒ、ＧＬＥＤ２６２Ｇ、ＢＬＥＤ２６２Ｂから射出された光は、コリメータレンズ２６３を通してＬＣＤ２６４を照明し、この照明によりＬＣＤ２６４で生成された像光は、プリズム２７１内で複数回の全反射を行った後、ＨＯＥ２７２により回折し虚像として装着者の眼球Ｅに導かれる。
【００３８】
　さらに、プリズム２７１は、前方から入射する光を装着者の眼球Ｅに導くようになっている。これにより、
装着者は、外界（前方の被写体）をシースルー可能となり、カメラユニット２８で撮影され生成された画像や、制御ユニット３１に設けられた後述の通信部３６を介して、遠隔地に設けられた例えば図示しないホストコンピュータから提供された映像等を外界（前方の被写体）と重畳して視認することとなる
　ウ　「【００４５】
　
制御ユニット３１は、制御部３２、画像メモリ３３、ＶＲＡＭ（Ｖｉｄｅｏ  Ｒａｎｄｏｍ  Ａｃｃｅｓｓ  Ｍｅｍｏｒｙ）３４、操作部３５、通信部３６、ＬＣＤドライバ３７、及びＨＭＤ１の動作用電源である電池３８等から構成される
【００４６】
　制御部３２は、図示しない各制御プログラム等を記憶するＲＯＭ（Ｒｅａｄ  Ｏｎｌｙ  Ｍｅｍｏｒｙ）、演算処理や制御処理等のデータを一時的に格納するＲＡＭ（Ｒａｎｄｏｍ  Ａｃｃｅｓｓ  Ｍｅｍｏｒｙ）、及び制御プログラム等をＲＯＭから読み出して実行するＣＰＵ（中央演算処理装置）等から構成される。
制御部３２は
ＨＭＤ１で行われる表示動作や画像信号処理動作を統括的に制御するものである
　エ　「【００５１】
　ここで制御部３２の詳細を説明する。
制御部３２は、表示制御部３２１、画像色解析部３２２、電池電圧検知部３２３等を有する
【００５２】
　
電池電圧検知部３２３は、電池３８の電圧や残容量を検知する
【００５３】
　
画像色解析部３２２は、カメラユニットで撮影された画像信号に基づき、画すなわち装着者の前方の被写体の色合いを解析する。色合いを解析する方法としては、例えば、画像信号からＲ、Ｇ、Ｂ信号の強度分布（ヒストグラム）をとり、度数の大きい色成分を算出するするとか、Ｒ、Ｇ、Ｂ信号の割合の偏り等を算出といった、周知の方法を用いることができる
【００５４】
　
表示制御部３２１は、ＬＣＤ２６４を構成するＲ、Ｇ、Ｂそれぞれの透過型液晶表示素子に対応して、赤（Ｒ）用画像信号、緑（Ｇ）用画像信号、青（Ｂ）用画像信号をＲＬＣＤドライバ３７Ｒ、ＧＬＣＤドライバ３７Ｇ、ＢＬＣＤドライバ３７Ｂを介して出力し駆動を制御する。また、ＬＣＤ２６４のバックライト２６２の光源であるＲＬＥＤ２６２Ｒ、ＧＬＥＤ２６２Ｇ、ＢＬＥＤ２６２Ｂの駆動を制御する
【００５５】
　また、
表示制御部３２１は、ＬＣＤ２６４、バックライト２６２の駆動モードとして、液晶単色駆動、光源単色駆動の２つの駆動モードを有している
【００５６】
　液晶単色駆動は、Ｒ、Ｇ、Ｂ用画像信号を合成して単色画像信号となる合成画像信号を生成し、画像色解析部３２２の解析結果に基づいて、該合成画像信号をＲ、Ｇ、Ｂの透過型液晶表示素子のいずれか１つの透過型液晶表示素子に出力して駆動するモードである。
【００５７】
　また、光源単色駆動は、画像色解析部３２２の解析結果に基づいて、ＲＬＥＤ２６２Ｒ、ＧＬＥＤ２６２Ｇ、ＢＬＥＤ２６２Ｂのいずれか１つの光源を駆動するモードである。
【００５８】
　そして、
表示制御部３２１は、電池電圧検知部３２３の検知結果に基づいて、液晶単色駆動および光源単色駆動、またはそのいずれかの駆動モード実行することができる
　オ　「【００５９】
　ここで、
ＨＭＤ１で行われる表示制御動作
【００６０】
　
表示ユニット２５の画面には、図４（ａ）に示すように、接眼光学系２７を通して観察できる作業対象物Ｘを含むシースルー画像Ｓに重ね合わせて、遠隔地に設けられたホストコンピュータから提供された例えば作業マニュアル等の表示映像Ｈ１がカラー表示されている
【００６１】
　このような状態で、最初に、
電池電圧検知部３２３は、電池３８の電圧を検知する
電池３８の残容量が低下している場合、表示制御部３２１は、先ず、Ｒ、Ｇ、Ｂ用画像信号を合成して単色画像信号となる合成画像信号を生成する（ステップＳ３）。次に、カメラユニット２８によりシースルー画像の画角と略等しい画角で作業対象物Ｘを撮影し画像信号を取り込む（ステップＳ４）。画像色解析部３２２は、カメラユニット２８で取り込まれた画像信号を解析し、被写体の色合いを解析する（ステップＳ５）。次に、表示制御部３２１は、画像色解析部３２２で解析された被写体の色合いに基づいて、合成画像信号をＲ、Ｇ、Ｂの透過型液晶表示素子のいずれに出力するかを選択する（ステップＳ５）。同様に、表示制御部３２１は、画像色解析部３２２で解析された被写体の色合いに基づいて、ＲＬＥＤ２６２Ｒ、ＧＬＥＤ２６２Ｇ、ＢＬＥＤ２６２Ｂのいずれの光源を駆動するかを選択する（ステップＳ６）
【００６２】
　
例えば、シースルー画像Ｓの色合いが緑色に偏っている場合、赤色、または青色の透過型液晶表示素子及びバックライト光源を選択する
シースルー画像Ｓの色合いと異なった色合いの過型液晶表示素子及びバックライト光源を選択する
【００６３】
　そして、
表示制御部３２１は、選択した過型液晶表示素子に合成画像信号を出力し駆動するとともに選択したバックライト光源を駆動する
表示ユニット２５の画面は、図４（ｂ）に示すように、カラーの表示映像Ｈ１が単色の表示映像Ｈ２に変化し表示される
【００６４】
　このように、本発明の実施形態に係るＨＭＤ１においては、表示制御部３２１は、Ｒ、Ｇ、Ｂ用画像信号を合成して単色画像信号となる合成画像信号を生成し、画像色解析部３２２の解析結果に基づいて、該合成画像信号をＲ、Ｇ、Ｂの透過型液晶表示素子のいずれか１つの透過型液晶表示素子に出力して駆動する液晶単色駆動および画像色解析部３２２の解析結果に基づいて、Ｒ、Ｇ、Ｂのバックライト光源のいずれか１つの光源を駆動する光源単色駆動、またはそのいずれかの駆動動作を有する構成とした。
これにより、Ｒ、Ｇ、Ｂの３つの透過型液晶表示素子およびＲ、Ｇ、Ｂの３つのバックライト光源をいつも駆動することなく、必要に応じて、液晶単色駆動および光源単色駆動、またはそのいずれかの駆動動作を行うことにより単色化することができる。その結果、消費電力を大きく低減することができ、電池の消耗を抑え、使用可能時間を延長することができる
【００６５】
　また、液晶単色駆動、光源単色駆動を行う際には、電子カメラで撮影された画像の色合いを解析する画像色解析部３２２の解析結果に基づいて、駆動する透過型液晶表示素子、バックライト光源を選択するようにしている。これにより、例えば、外界のシースルー画像の色合いが緑色に偏っている場合、赤色、または青色の透過型液晶表示素子、バックライト光源を選択し、駆動することができる。すなわち、
シースルー画像の色合いと異なった色合いの映像を表示することができる。その結果、シースルー画像と表示映像との識別が容易になり単色化による視認性の低下を抑えることができる
　カ　上記ア〜オの記載事項を総合すると、上記引用文献１には、以下の発明（以下、「引用発明」という。）が記載されていると認められる。
［引用発明］  
「表示ユニット２５、カメラユニット２８及び制御ユニット３１を有する頭部装着式映像表示装置（ＨＭＤ１）の上記表示ユニット２５の画面表示を制御する方法において、
（上記アの【００１６】、【００１８】、上記ウの【００４５】〜【００４６】、上記オの【００５９】）
上記表示ユニット２５は、筐体２６１、バックライト２６２、コリメータレンズ２６３、ＬＣＤ２６４からなるＬＣＤ表示部２６、及び、接眼光学系２７を有し、（上記アの【００２３】、上記イの【００２９】）
装着者は、外界（前方の被写体）をシースルー可能であり、上記カメラユニット２８で撮影され生成された画像や、上記制御ユニット３１に設けられた通信部３６を介して、遠隔地に設けられたホストコンピュータから提供された映像等を上記ＬＣＤ２６４において表示し、上記接眼光学系２７を通して外界（前方の被写体）と重畳して視認するものであり、
（上記イの【００３８】）
上記バックライト２６２は、発光色がそれぞれ赤（Ｒ）、緑（Ｇ）、青（Ｂ）の発光ダイオードであるＲＬＥＤ２６２Ｒ、ＧＬＥＤ２６２Ｇ、ＢＬＥＤ２６２Ｂを有し、ＬＣＤ２６４を照明する光源であり、
（上記イの【００３１】）
上記制御ユニット３１は、制御部３２、画像メモリ３３、ＶＲＡＭ３４、操作部３５、通信部３６、ＬＣＤドライバ３７、及びＨＭＤ１の動作用電源である電池３８等から構成され、（上記ウの【００４５】）
上記制御部３２は、表示制御部３２１、画像色解析部３２２、電池３８の電圧や残容量を検知する電池電圧検知部３２３を有し、ＨＭＤ１で行われる表示動作や画像信号処理動作を統括的に制御するものであり、
（上記ウの【００４６】、上記エの【００５１】〜【００５２】）
上記画像色解析部３２２は、上記カメラユニット２８で撮影された画像信号に基づき、画像すなわち装着者の前方の被写体の色合いを解析するものであり、色合いを解析する方法としては、例えば、画像信号からＲ、Ｇ、Ｂ信号の強度分布（ヒストグラム）をとり、度数の大きい色成分を算出するするとか、Ｒ、Ｇ、Ｂ信号の割合の偏り等を算出といった、周知の方法を用いることができ、（上記エの【００５３】）
上記表示制御部３２１は、ＬＣＤ２６４を構成するＲ、Ｇ、Ｂそれぞれの透過型液晶表示素子に対応して、赤（Ｒ）用画像信号、緑（Ｇ）用画像信号、青（Ｂ）用画像信号をＲＬＣＤドライバ３７Ｒ、ＧＬＣＤドライバ３７Ｇ、ＢＬＣＤドライバ３７Ｂを介して出力し駆動を制御し、ＬＣＤ２６４のバックライト２６２の光源であるＲＬＥＤ２６２Ｒ、ＧＬＥＤ２６２Ｇ、ＢＬＥＤ２６２Ｂの駆動を制御するものであり、ＬＣＤ２６４、バックライト２６２の駆動モードとして、液晶単色駆動、光源単色駆動の２つの駆動モードを有しており、（上記エの【００５４】〜【００５５】）
上記電池電圧検知部３２３が電池３８の電圧を検知し電池３８の残容量が低下している場合、上記表示制御部３２１は、上記液晶単色駆動および上記光源単色駆動、またはそのいずれかの駆動モードを実行することができ、
（上記エの【００５８】、上記オの【００６１】）
上記表示ユニット２５の画面には、接眼光学系２７を通して観察できる作業対象物Ｘを含むシースルー画像Ｓに重ね合わせて、遠隔地に設けられたホストコンピュータから提供された例えば作業マニュアル等の表示映像Ｈ１がカラー表示されており、（上記オの【００６０】）
上記表示制御部３２１は、Ｒ、Ｇ、Ｂ用画像信号を合成して単色画像信号となる合成画像信号を生成し、（上記オの【００６１】）
上記画像色解析部３２２は、上記カメラユニット２８で上記シースルー画像Ｓの画角と略等しい画角で上記作業対象物Ｘを撮影し取り込まれた画像信号を解析して、被写体の色合いを解析し、（上記オの【００６１】）
上記表示制御部３２１は、上記合成画像信号をＲ、Ｇ、Ｂの透過型液晶表示素子のいずれに出力するか、及び、バックライト光源ＲＬＥＤ２６２Ｒ、ＧＬＥＤ２６２Ｇ、ＢＬＥＤ２６２Ｂのいずれの光源を駆動するかについて、上記画像色解析部３２２で解析された上記被写体の色合いに基づいて、シースルー画像Ｓの色合いと異なった色合いの過型液晶表示素子及びバックライト光源を選択し、（上記オの【００６１】〜【００６２】）
選択した透過型液晶表示素子に上記合成画像信号を出力して駆動する（液晶単色駆動モード）とともに、選択したバックライト光源を駆動して（光源単色駆動モード）、（上記オの【００６３】）
上記表示ユニット２５の画面に表示されたカラーの表示映像Ｈ１が、単色の表示映像Ｈ２に変化して表示されるようにすることにより、Ｒ、Ｇ、Ｂの３つの透過型液晶表示素子およびＲ、Ｇ、Ｂの３つのバックライト光源をいつも駆動することなく、単色化して消費電力を大きく低減することができ、電池の消耗を抑え、使用可能時間を延長することができるとともに、
シースルー画像Ｓの色合いと異なった色合いの映像を表示し、シースルー画像Ｓと表示映像との識別が容易になり単色化による視認性の低下を抑えることができるようにした、（上記オの【００６３】〜【００６５】）
上記ＨＭＤ１の上記表示ユニット２５の画面表示を制御する方法。
（上記アの【００１６】、【００１８】、上記ウの【００４５】〜【００４６】、上記オの【００５９】）」
（２）対比
　本願発明１と引用発明とを対比する。 
　ア　引用発明の「表示ユニット２５、カメラユニット２８及び制御ユニット３１を有する頭部装着式映像表示装置（ＨＭＤ１）」は、「外界（前方の被写体）をシースルー可能であり、上記カメラユニット２８で撮影され生成された画像や、上記制御ユニット３１に設けられた通信部３６を介して、遠隔地に設けられたホストコンピュータから提供された映像等を上記ＬＣＤ２６４において表示し、上記接眼光学系２７を通して外界（前方の被写体）と重畳して視認するもの」であるから、引用発明の「頭部装着式映像表示装置（ＨＭＤ１）」の「表示ユニット２５」は、本願発明１の「拡張現実ディスプレイ」に相当する。
　また、引用発明の「上記ＨＭＤ１の上記表示ユニット２５の画面表示を制御する方法」は、本願発明の「拡張現実ディスプレイを制御するための方法」に相当する。
　イ　引用発明の「外界（前方の被写体）」は、本願発明１の「現実世界」に相当し、引用発明の「接眼光学系２７を通して」「視認」される「外界（前方の被写体）」は、本願発明１の「現実世界の場面」に相当する。
　また、引用発明の「作業対象物Ｘ」は「外界」に存在し、「接眼光学系２７を通して」「作業対象物Ｘを含むシースルー画像Ｓ」が「観察」されるから、引用発明の「作業対象物Ｘを含むシースルー画像Ｓ」は、本願発明１の「前記現実世界の場面における現実世界のオブジェクト」に相当する。
　ウ　引用発明の「接眼光学系２７を通して観察できる作業対象物Ｘを含むシースルー画像Ｓに重ね合わせて」、「表示ユニット２５の画面」に表示される、「遠隔地に設けられたホストコンピュータから提供された例えば作業マニュアル等の表示映像」は、本願発明１の「現実世界の場面に重ね合わされた仮想オブジェクト」に相当する。
　そうすると、引用発明の「上記表示ユニット２５の画面には、接眼光学系２７を通して観察できる作業対象物Ｘを含むシースルー画像Ｓに重ね合わせて、遠隔地に設けられたホストコンピュータから提供された例えば作業マニュアル等の表示映像」が「表示」されることは、本願発明１の「現実世界の場面に重ね合わされた仮想オブジェクトを含む仮想の視界をヘッドマウントディスプレイにより提示する」ことに相当する。
　エ　引用発明では、「上記表示ユニット２５の画面には、接眼光学系２７を通して観察できる作業対象物Ｘを含むシースルー画像Ｓに重ね合わせて、遠隔地に設けられたホストコンピュータから提供された例えば作業マニュアル等の表示映像Ｈ１がカラー表示されており」、「電池３８の残容量が低下している場合」には、「上記表示ユニット２５の画面に表示されたカラーの表示映像Ｈ１が、単色の表示映像Ｈ２に変化して表示されるように」なるところ、「変化」後の「表示映像Ｈ２」の「単色」は、本願発明１の「第2の色」に相当する。
　そうすると、引用発明の「作業マニュアル等」の「カラーの表示映像Ｈ１が、単色の表示映像Ｈ２に変化して表示」されることは、本願発明１の「第2の色を使用して前記仮想オブジェクトの表示を変更する」ことに相当する。
　オ　引用発明では、「上記画像色解析部３２２は、上記カメラユニット２８で上記シースルー画像Ｓの画角と略等しい画角で上記作業対象物Ｘを撮影し取り込まれた画像信号を解析して、被写体の色合いを解析し」ているところ、上記イにおいて検討したとおり、引用発明の「作業対象物Ｘを含むシースルー画像Ｓ」は、本願発明１の「前記現実世界の場面における現実世界のオブジェクト」に相当するから、引用発明の「被写体の色合い」は、本願発明１の「前記現実世界の場面における現実世界のオブジェクトの第1の色」に相当する。
　カ　引用発明では、「上記画像色解析部３２２」の行う「色合いを解析する方法」として、「例えば、画像信号からＲ、Ｇ、Ｂ信号の強度分布（ヒストグラム）をとり、度数の大きい色成分を算出するするとか、Ｒ、Ｇ、Ｂ信号の割合の偏り等を算出といった、周知の方法」が用いられ、「上記表示制御部３２１は、上記画像色解析部３２２で解析された上記被写体の色合いに基づいて、シースルー画像Ｓの色合いと異なった色合いの過型液晶表示素子及びバックライト光源を選択し」て、「液晶単色駆動モード」とともに「光源単色駆動モード」を実行し「単色化」を行っているから、引用発明の「単色」は、「被写体の色合い」に基づいて選択され、「単色」と「被写体の色合い」との間には、色コントラストが生じているといえる。
　そうすると、本願発明１と引用発明とは、「前記第2の色が、前記現実世界の場面における現実世界のオブジェクトの第1の色と色コントラストを有し、前記第2の色が、前記第1の色に基づいて選択され、前記仮想の視界における前記仮想オブジェクトが、前記現実世界のオブジェクトの上に重ね合わされる」という点で共通する。
　キ　上記ア〜カより、本願発明１と引用発明とは、以下の一致点で一致し、以下の相違点で相違する。
［一致点］
「拡張現実ディスプレイを制御するための方法であって、
　現実世界の場面に重ね合わされた仮想オブジェクトを含む仮想の視界をヘッドマウントディスプレイにより提示するステップと、
　第2の色を使用して前記仮想オブジェクトの表示を変更するステップであって、前記第2の色が、前記現実世界の場面における現実世界のオブジェクトの第1の色と色コントラストを有し、前記第2の色が、前記第1の色に基づいて選択され、前記仮想の視界における前記仮想オブジェクトが、前記現実世界のオブジェクトの上に重ね合わされる、ステップと、
　を含む、拡張現実ディスプレイを制御するための方法。」
［相違点］
　本願発明１では、上記「色コントラスト」について、「第2の色」が、「第1の色と少なくとも既定の量の色コントラストを有し」、「前記第1の色と前記第2の色との間のコントラストの量に基づいて、前記仮想オブジェクトを表示するための前記ヘッドマウントディスプレイのルーメン出力を低下させるステップ」を含むのに対して、引用発明では、「単色」（「第2の色」に相当）が、「シースルー画像Ｓの色合い」（「第1の色」に相当）と「少なくとも既定の量の色コントラストを有し」ているとはいえず、「シースルー画像Ｓの色合い」（「第1の色」に相当）と「単色」（「第2の色」に相当）との間のコントラストの量に基づいて、「単色化」が行われているともいえない点。
（３）判断
　上記相違点について検討する。
　ア　引用発明では、「上記画像色解析部３２２」が「前方の被写体の色合いを解析」し、「色合いを解析する方法としては、例えば、画像信号からＲ、Ｇ、Ｂ信号の強度分布（ヒストグラム）をとり、度数の大きい色成分を算出するするとか、Ｒ、Ｇ、Ｂ信号の割合の偏り等を算出といった、周知の方法を用いる」とされており、このような色合い解析方法により、「例えば、シースルー画像Ｓの色合いが緑色に偏っている」（上記２の（１）のオの段落【００６２】参照）と判定されると考えられる。
　イ　また、引用発明において行われている、「シースルー画像Ｓの色合いと異なった色合いの映像を表示し、シースルー画像Ｓと表示映像との識別が容易」にするための「表示映像」の「単色化」は、「上記合成画像信号をＲ、Ｇ、Ｂの透過型液晶表示素子のいずれに出力するか、及び、バックライト光源ＲＬＥＤ２６２Ｒ、ＧＬＥＤ２６２Ｇ、ＢＬＥＤ２６２Ｂのいずれの光源を駆動するか」という「選択」によって行われるものであるから、その選択肢は、せいぜいＲ、Ｇ、Ｂの３つに限られ、「例えば、シースルー画像Ｓの色合いが緑色に偏っている場合、赤色、または青色の透過型液晶表示素子及びバックライト光源を選択する」（上記２の（１）のオの段落【００６２】参照）という程度のものである。
　ウ　したがって、引用発明では、「上記被写体の色合いに基づいて、シースルー画像Ｓの色合いと異なった色合い」が「選択」されるにしても、その選択は、Ｒ、Ｇ、Ｂの３つの選択肢の中から、「シースル画像Ｓの色合い」とはいえないものを選ぶというものにすぎず、色のコントラストを定量的に評価して、その評価に基づいて「単色化」が行われてはいない。
　エ　そして、上記引用文献１には、色のコントラストを定量的に評価し、その評価に基づいて単色化が行われることを示唆する記載も見当たらないから、本願発明１は、上記引用文献１に記載された発明であるとはいえない。
　オ　また、原査定において引用された上記引用文献２及び５にも、上記相違点に係る本願発明１の構成は記載も示唆もされていない。
　カ　そうすると、上記相違点に係る本願発明１の構成を得ることは、当業者にとって容易に想到し得たものであるとはいえないから、本願発明１は、上記引用文献１に記載された発明に基づいて、当業者であっても容易に発明をすることができたものとはいえない。
（４）本願発明２〜１５
　
　ア　本願発明２、４〜５については、上記相違点に係る本願発明１の構成と同一の構成を備えるものであるから、本願発明１と同じ理由により、本願発明２、４〜５は、上記引用文献１に記載された発明であるとはいえないし、当業者であっても容易に発明をすることができたものとはいえない。
　イ　本願発明９〜１０、１２〜１３については、「拡張現実ディスプレイを制御するための装置」の発明であって、上記相違点に係る本願発明１の構成に対応する構成を備えるものであるから、本願発明１と同じ理由により、本願発明９〜１０、１２〜１３は、上記引用文献１に記載された発明であるとはいえないし、当業者であっても容易に発明をすることができたものとはいえない。
　ウ　本願発明１５については、「拡張現実ディスプレイを制御するためのコンピュータプログラム」の発明であって、上記相違点に係る本願発明１の構成に対応する構成を備えるものであるから、本願発明１と同じ理由により、本願発明１５は、上記引用文献１に記載された発明であるとはいえないし、当業者であっても容易に発明をすることができたものとはいえない。
　エ　本願発明６〜７については、上記相違点に係る本願発明１の構成と同一の構成を備えるものであるから、本願発明１と同じ理由により、本願発明６〜７は、上記引用文献１、２及び５に記載された発明に基づいて、当業者であっても容易に発明をすることができたものとはいえない。
　オ　本願発明１４については、上記相違点に係る本願発明１の構成に対応する構成を備えるものであるから、本願発明１と同じ理由により、本願発明１４は、上記引用文献１、２及び５に記載された発明に基づいて、当業者であっても容易に発明をすることができたものとはいえない。
（５）小括
　上記（１）〜（４）において検討したとおりであるから、本願発明１〜２、４〜５、９〜１０、１２〜１３、１５は、特許法第２９条第１項第３号に該当せず、特許を受けることができないとはいえないし、特許法第２９条第２項の規定により特許を受けることができないとはいえない。
　また、本願発明６〜７、１４は、特許法第２９条第２項の規定により特許を受けることができないとはいえない。
　したがって、原査定の拒絶の理由を維持することはできない。
第３　当審拒絶理由について　
１　当審拒絶理由
　当審拒絶理由は次のとおりである。
　本件出願は、特許請求の範囲の記載が下記の点で、特許法第３６条第６項第２号に規定する要件を満たしていない。 
  
 　　　　　　　　　　　　　　　　記  
  
（１）平成３０年８月２日に提出された手続補正書により補正された請求項９において、「前記現実世界の場面における現実世界のオブジェクトの第1の色と少なくとも既定の量の色コントラストを有し、かつ前記第1の色に基づいて選択される、第2の色を使用して、前記仮想オブジェクトのディスプレイを変更するための手段であって」と記載されているが、「前記仮想オブジェクトのディスプレイを変更するための手段」の「ディスプレイ」は、「表示」の誤記であると思われる。 
　請求項１２、１４においても同様の記載があり、「前記仮想オブジェクトの前記ディスプレイを変更するための手段」の「ディスプレイ」は、「表示」の誤記であると思われる。 
（平成２９年１０月２３日に提出された手続補正書では、請求項１については、当該誤記の補正がなされたものの、請求項９、１２、１４については、当該誤記の補正がなされておらず、そのまま残ってしまったものと思われる。請求項１についてした上記補正と同様に、「前記仮想オブジェクトのディスプレイを変更する」を「前記仮想オブジェクトの表示を変更する」と補正すべきである。） 
  
（２）請求項３において、「前記既定の量の色コントラストを、Lab色空間における前記第1の色と前記第2の色との間の最小距離に基づいて決定するステップをさらに含む」と記載されているが、この「前記既定の量の色コントラストを．．．決定するステップ」は、請求項１における「第2の色を使用して前記仮想オブジェクトの表示を変更するステップであって、前記第2の色が、前記現実世界の場面における現実世界のオブジェクトの第1の色と少なくとも既定の量の色コントラストを有し、前記第2の色が、前記第1の色に基づいて選択され、前記仮想の視界における前記仮想オブジェクトが、前記現実世界のオブジェクトの上に重ね合わされる、ステップ」に含まれるもの（すなわち、上記ステップの内容を詳述したもの）なのか、上記ステップには含まれない別のステップとして特定したものなのか、「ステップをさらに含む」と記載していることから、不明である。 
　請求項４〜８においても、「．．．ステップをさらに含む」、「．．．ステップと、をさらに含む」との記載があり、これらのステップが、請求項１において特定されたステップとどのような関係にあるのか（すなわち、請求項１のステップを詳述したものなのか、請求項１のステップには含まれない別のステップとして特定したものなのか）、不明である。 
  
（３）請求項１１〜１４において、「．．．手段をさらに備える」との記載があり、これらの手段が、請求項９において特定された手段とどのような関係にあるのか（すなわち、請求項９の手段を詳述したものなのか、請求項９の手段とは別の手段を特定したものなのか）、不明である。 
２　当審拒絶理由についての判断
　当審拒絶理由に対して、令和１年８月１日に提出された手続補正書による補正により、特許請求の範囲は上記「第２　本願発明」において示したとおりに補正されたところ、このことにより、特許請求の範囲の記載は明確となった。 
　したがって、当審拒絶理由を維持することはできないから、本願は、当審拒絶理由によって拒絶すべきものとすることはできない。
第４　むすび 
　以上のとおりであるから、原査定の理由によっては、本願を拒絶することはできない。
　また、他に本願を拒絶すべき理由を発見しない。  
  よって、結論のとおり審決する。